(57)【要約】【課題】  ２以上の基板に異なるフォトセンサが接続された場合でも各基板を共通化することができる画像読取装置を提供することを目的とする。【解決手段】  イメージセンサ基板２２にイメージセンサ２１及び紙通過センサ２３を接続し、イメージセンサ基板３２にイメージセンサ３１及びキャリッジホームセンサ３３を接続する場合に、紙通過センサ２３の感度調整に必要な電流制限抵抗を中継基板４２に配置する。このような構成を採用することにより、イメージセンサ基板２２に電流制限抵抗を配置することによる部品点数の増加や、紙通過センサ２３付近に電流制限抵抗を配置することによるスペース効率の低下などの不都合が生じることを防止しつつ、複合機１の部品の種類を減少させることができる。【選択図】  図１
2010273102.tif 000002
【特許請求の範囲】
【請求項１】
原稿が載置されるコンタクトガラスの下方に配置された第１イメージセンサと、
上記コンタクトガラス上に開閉可能に設置されたＡＤＦ装置内に配置された第２イメージセンサとを備え、
フラットベッド方式の画像読取時に第１イメージセンサを用いるとともに、ＡＤＦ方式の画像読取時に第１及び第２イメージセンサを用いる画像読取装置において、
ＡＤＦ方式の画像読取時に、上記原稿が上記ＡＤＦ装置の搬送経路上の所定位置に搬送されたことを検出する反射型フォトセンサと、
フラットベッド方式の画像読取時に、上記コンタクトガラスに対し第１イメージセンサを移動させる駆動装置と、
第１イメージセンサと共に移動し、第１イメージセンサが基準位置に移動したことを検出する透過型フォトセンサと、
第１イメージセンサ及び透過型フォトセンサを制御基板に接続するための第１イメージセンサ基板と、
第２イメージセンサ及び反射型フォトセンサを上記制御基板に接続するための第２イメージセンサ基板と、
上記反射型フォトセンサへの供給電流を制限するための電流制限抵抗とを備え、
上記電流制限抵抗は、第２イメージセンサ基板より上記制御基板側に配置されることを特徴とする画像読取装置。
【請求項２】
ＡＤＦ方式により画像読取を行う画像読取装置において、
原稿の一方の面をスキャンする第１イメージセンサと、
上記原稿の他方の面をスキャンする第２イメージセンサと、
上記原稿が搬送路上の所定位置に搬送されたことを検出する反射型フォトセンサと、
原稿が原稿搬送台に載置されたことを検出する透過型フォトセンサと、
第１イメージセンサ及び透過型フォトセンサを制御基板に接続するための第１イメージセンサ基板と、
第２イメージセンサ及び反射型フォトセンサを上記制御基板に接続するための第２イメージセンサ基板と、
上記反射型フォトセンサへの供給電流を制限するための電流制限抵抗とを備え、
上記電流制限抵抗は、第２イメージセンサ基板より上記制御基板側に配置されることを特徴とする画像読取装置。
【請求項３】
上記反射型フォトセンサは、ＡＤＦ装置内の原稿搬送経路上であって、第１イメージセンサの近傍に配置されることを特徴とする請求項１又は２に記載の画像読取装置。
【発明の詳細な説明】
【技術分野】
【０００１】
本発明は、画像読取装置に係り、更に詳しくは、２つのイメージセンサ及び２つのフォトセンサを備え、原稿の自動搬送を行うことができる画像読取装置の改良に関する。
【背景技術】
【０００２】
一般に、ラインセンサを用いて原稿画像を読み取る画像読取装置は、そのスキャン方式によって、フラットベッド方式及びＡＤＦ方式に区分される。フラットベッド方式の画像読取装置では、コンタクトガラス上に原稿を載置し、イメージセンサを搭載したイメージセンサキャリッジをコンタクトガラスに沿って移動させることにより原稿画像の読み取りが行われる。一方、ＡＤＦ方式の画像読取装置では、原稿搬送台から原稿を繰り込んで搬送し、搬送路上に配置されたラインセンサによって原稿画像の読み取りが行われる。また、ＡＤＦ方式の画像読取装置の場合、搬送路上に２つのラインセンサを配置することによって、原稿の両面を高速に読み取ることができる。
【０００３】
このような画像読取装置内には、搬送路上における原稿の位置や、イメージセンサキャリッジの位置や、原稿搬送台上の原稿を検出するために２以上のフォトセンサが設けられている。これらのフォトセンサは、光源及び受光部からなり、光源から受光部への光路上の物体を検出することができる。このようなフォトセンサには、光源及び受光部を対向させ、物体による光の遮断を検出する透過型フォトセンサと、物体又は背景による反射光を検出する反射型フォトセンサとに区分される。
【０００４】
透過型フォトセンサは、光量調整が必要なく、経年劣化に強いという利点を有する反面、チャタリングが発生し易いという欠点がある。これに対し、反射型フォトセンサは、光源及び受光部を近づけて配置することができるため、よりコンパクトで取付性に優れ、また、チャタリングも発生しにくいという利点があるが、光量調整が必要であり、光源が経年劣化すれば、再調整が必要になるという欠点がある。
【０００５】
一般に、画像読取装置内の原稿搬送路付近は狭く、フォトセンサのために十分なスペースを確保することが難しい。また、原稿がライセンサを通過するタイミングを精度よく検出しようとすれば、ラインセンサによる読取位置の直前で原稿の検出を行う必要がある。このため、原稿の位置を検出する場合には、コンパクトでチャタリングも発生しにくい反射型フォトセンサを用いることが望ましい。
【０００６】
一方、イメージセンサキャリッジの位置検出や原稿搬送台上の原稿検出を行う場合には、フォトセンサのチャタリングを吸収する時間を確保でき、また、設置スペースも確保しやすい。このため、イメージセンサキャリッジの位置検出用のフォトセンサには、安価な透過型フォトセンサを用いることが望ましい。つまり、用途に応じて透過型フォトセンサ及び反射型フォトセンサが使い分けられている。
【先行技術文献】
【特許文献】
【０００７】
【特許文献１】特開２００６−１１５１３４号公報
【発明の概要】
【発明が解決しようとする課題】
【０００８】
反射型フォトセンサは、搬送路付近の狭い領域内に設置されるため、当該反射型フォトセンサからメイン基板までケーブルを引き回すことは容易ではない。そこで、反射型フォトセンサの近傍に配置されているイメージセンサ用の基板に反射型フォトセンサを接続すればスペース効率や取付時の作業効率を向上させることができる。
【０００９】
また、イメージセンサキャリッジの位置を検出する透過型フォトセンサがイメージセンサキャリッジに搭載されている場合、当該フォトセンサをイメージセンサキャリッジ上のイメージセンサ基板に接続し、フォトセンサ及びイメージセンサ用の信号線が形成されたフレキシブル基板を用いて当該基板をメイン基板に接続すれば、透過型フォトセンサのケーブルがイメージセンサキャリッジの移動の障害になるのを防止することができる。
【００１０】
さらに、原稿搬送台上の原稿を検出するための透過型フォトセンサをイメージセンサ基板に接続することによって製造コストを削減することもできる。
【００１１】
この様にして、２以上のイメージセンサ及び２以上のフォトセンサを備えた画像処理装置の場合、フォトセンサをその近傍にあるイメージセンサの基板に接続し、一対のフォトセンサ及びイメージセンサが同じ基板を介してメイン基板に接続されるように構成すれば、スペース効率を向上させ、コストを削減することができる。そして、これらの基板を同一の構成にすることができれば、画像読取装置を構成する部品の種類を減らし、製造コストを更に低減することができる。
【００１２】
しかしながら、２以上のイメージセンサが同じ種類のデバイスであったとしても、２以上のフォトセンサが異なる種類のデバイスであった場合、つまり、一方が透過型で他方が反射型であった場合、透過型フォトデバイスには電流制限抵抗が不要であるのに対し、反射型フォトデバイスには電流制限抵抗が必要となる。このため、イメージセンサ基板上に電流制限抵抗を配置したとすれば、イメージセンサ基板として、構成の異なる基板をそれぞれ用いる必要があり、製造コストを十分に低減することができない。なお、反射型フォトセンサ付近は狭いため、反射型フォトセンサの近傍に電流制限抵抗を配置するのはスペース効率が悪く、取付時の作業効率も悪い。
【００１３】
本発明は、上記の事情に鑑みてなされたものであり、イメージセンサにそれぞれ接続される２以上の基板を有する画像読取装置において、各基板が一対のイメージセンサ及びフォトセンサに接続されている場合に、反射型及び透過型のフォトセンサが接続される各基板を共通化することができる画像読取装置を提供することを目的とする。
【課題を解決するための手段】
【００１４】
第１の本発明による画像読取装置は、原稿が載置されるコンタクトガラスの下方に配置された第１イメージセンサと、上記コンタクトガラス上に開閉可能に設置されたＡＤＦ装置内に配置された第２イメージセンサとを備え、フラットベッド方式の画像読取時に第１イメージセンサを用いるとともに、ＡＤＦ方式の画像読取時に第１及び第２イメージセンサを用いる画像読取装置において、ＡＤＦ方式の画像読取時に、上記原稿が上記ＡＤＦ装置の搬送経路上の所定位置に搬送されたことを検出する反射型フォトセンサと、フラットベッド方式の画像読取時に、上記コンタクトガラスに対し第１イメージセンサを移動させる駆動装置と、第１イメージセンサと共に移動し、第１イメージセンサが基準位置に移動したことを検出する透過型フォトセンサと、第１イメージセンサ及び透過型フォトセンサを制御基板に接続するための第１イメージセンサ基板と、第２イメージセンサ及び反射型フォトセンサを上記制御基板に接続するための第２イメージセンサ基板と、上記反射型フォトセンサへの供給電流を制限するための電流制限抵抗とを備え、上記電流制限抵抗は、第２イメージセンサ基板より上記制御基板側に配置されるように構成される。
【００１５】
この様な構成により、電流制限抵抗を用いて、反射型フォトセンサへの供給電流を制限しつつ、第１イメージセンサ及び透過型フォトセンサが接続される第１イメージセンサ基板、並びに、第２イメージセンサ及び反射型フォトセンサが接続される第２イメージセンサ基板として共通の基板を用いることができる。このため、画像読取装置の部品の種類を減少させることができる。
【００１６】
第２の本発明による画像読取装置は、ＡＤＦ方式により画像読取を行う画像読取装置において、原稿の一方の面をスキャンする第１イメージセンサと、上記原稿の他方の面をスキャンする第２イメージセンサと、上記原稿が搬送路上の所定位置に搬送されたことを検出する反射型フォトセンサと、原稿が原稿搬送台に載置されたことを検出する透過型フォトセンサと、第１イメージセンサ及び透過型フォトセンサを制御基板に接続するための第１イメージセンサ基板と、第２イメージセンサ及び反射型フォトセンサを上記制御基板に接続するための第２イメージセンサ基板と、上記反射型フォトセンサへの供給電流を制限するための電流制限抵抗とを備え、上記電流制限抵抗は、第２イメージセンサ基板より上記制御基板側に配置されるように構成される。
【００１７】
この様な構成により、電流制限抵抗を用いて、反射型フォトセンサへの供給電流を制限しつつ、第１イメージセンサ及び透過型フォトセンサが接続される第１イメージセンサ基板、並びに、第２イメージセンサ及び反射型フォトセンサが接続される第２イメージセンサ基板として共通の基板を用いることができる。このため、画像読取装置の部品の種類を減少させることができる。
【００１８】
第３の本発明による画像読取装置は、上記の構成に加え、上記反射型フォトセンサは、ＡＤＦ装置内の原稿搬送経路上であって、第１イメージセンサの近傍に配置されるように構成される。
【発明の効果】
【００１９】
本発明による画像読取装置は、電流制限抵抗を用いて、反射型フォトセンサへの供給電流を制限しつつ、第１イメージセンサ及び透過型フォトセンサが接続される第１イメージセンサ基板、並びに、第２イメージセンサ及び反射型フォトセンサが接続される第２イメージセンサ基板として共通の基板を用いることができ、画像読取装置の部品の種類を減少させることができる。
【図面の簡単な説明】
【００２０】
【図１】本発明の実施の形態による画像読取装置の概略構成の一例を示した図であり、複合機１における原稿Ａ１の搬送経路が示されている。
【図２】図１の複合機１の要部における構成例を示したブロック図であり、複合機１内の機能構成の一例が示されている。
【図３】図１の複合機１に配置された各フォトセンサの構成を示した模式図である。
【図４】本発明の実施の形態２による画像読取装置の一構成例を示した図であり、画像読取装置の一例として複合機１１が示されている。
【図５】図４の複合機１１の要部における構成例を示したブロック図であり、複合機１１内の機能構成の一例が示されている。
【発明を実施するための形態】
【００２１】
実施の形態１．
図１は、本発明の実施の形態による画像読取装置の概略構成の一例を示した図であり、複合機１における原稿Ａ１の搬送路４が示されている。この複合機１は、原稿Ａ１の表面及び裏面を異なるイメージセンサ３１及び２１を用いて読み取る。
【００２２】
この複合機１は、ＡＤＦ（オートドキュメントフィーダー）部２とフラットベッド部３とにより構成される。ＡＤＦ部２は、分離ローラ５〜７、原稿搬送台８、搬送ローラ９、搬送ローラ１０、イメージセンサ２１、イメージセンサ基板２２、紙通過センサ２３及び中継基板４２から構成される。フラットベッド部３は、キャリッジ３０、イメージセンサ３１、イメージセンサ基板３２、キャリッジホームセンサ３３、キャリッジ駆動部３４、フィラー３５、中継基板４１及び制御基板４３から構成される。
【００２３】
複合機１では、原稿Ａ１が原稿搬送台８から搬送路４内へ繰り込まれるとともに、搬送ローラ９，１０によって搬送路４上を搬送される。そして、イメージセンサ３１によって原稿Ａ１の表面の画像が読み取られ、イメージセンサ２１によって原稿Ａ１の裏面の画像が読み取られ、読取済みの原稿Ａ１が排紙トレー（図示せず）へ排出される。
【００２４】
原稿搬送台８は、画像が記録された原稿Ａ１を収容する収容部である。分離ローラ５〜７は、原稿搬送台８から原稿Ａ１を1枚ずつ搬送路４内へ繰り込むためのローラである。
【００２５】
搬送ローラ９は、搬送路４上の原稿Ａ１を送り方向に搬送する搬送手段であり、搬送中の原稿Ａ１を挟むように対向配置された複数のローラの対からなる。搬送ローラ９は、一方のローラが駆動部によって送り方向に駆動され、他方のローラが従動回転するようになっている。搬送ローラ１０は、大型の搬送ローラであり、搬送ローラ９と同様に、搬送路４上の原稿Ａ１を搬送する搬送手段である。
【００２６】
イメージセンサ２１は、搬送路４上の原稿Ａ１を光学的に読み取るＣＣＤラインセンサであり、イメージセンサ基板２２上に配置されている。イメージセンサ２１は、原稿Ａ１の裏面の画像を読み取った電気信号をイメージセンサ基板２２へ出力する。
【００２７】
紙通過センサ２３は、搬送中の原稿Ａ１が基準位置Ｐを通過したことを検出するフォトセンサである。基準位置Ｐはイメージセンサ２１の読み取り部位の近傍にあるため、基準位置Ｐにおいて原稿Ａ１が検出されてからイメージセンサ２１の読み取りを開始すればよく、イメージセンサ２１の消費電力を低減できる。
【００２８】
紙通過センサ２３は、反射型フォトセンサであり、ＬＥＤ光源の光を原稿Ａ１で反射させることにより、原稿Ａ１の有無を検出する。反射型フォトセンサは、ＬＥＤ光源と受光部が一体になっていることからケース、取り付け部及び配線等を一つにまとめることができ、透過型フォトセンサに比べてコンパクトで場所をとらないという特徴がある。搬送路４付近は狭く、コンパクトな反射型フォトセンサが適している。また、透過型フォトセンサには、チャタリングが起きやすいという難点があり、連続して高速で搬送される原稿Ａ１の検出には適さない。このため、チャタリングの発生しない反射型フォトセンサを配置している。
【００２９】
紙通過センサ２３は、イメージセンサ基板２２にケーブルを介して接続されている。紙通過センサ２３の近傍に位置するイメージセンサ基板２２にケーブルを接続し、更に、中継基板４２にイメージセンサ２１と一括してケーブルを接続することによって、狭い搬送路４の近傍においてケーブルを引き回さなくてもよい。
【００３０】
イメージセンサ基板２２上のイメージセンサ２１からのアナログ信号は、そのまま中継基板４２へ出力される。また、紙通過センサ２３から入力される検出信号もそのまま中継基板４２へ出力される。
【００３１】
中継基板４２は、イメージセンサ基板２２とケーブルにより接続されている。中継基板４２には、アナログフロントエンドチップが配置され、イメージセンサ基板２２から入力される電気信号を増幅し、デジタル画像情報に変換する処理を行う。また、紙通過センサ２３からの検出信号がイメージセンサ基板２２を介して入力され、この検出信号をそのまま制御基板４３に出力する。また、中継基板４２には、紙通過センサ２３のＬＥＤ光源へ供給される電流を調整する電流制限抵抗が配置されている。
【００３２】
キャリッジ３０は、原稿をコンタクトガラスに載置してフラットベッド方式のスキャンを行うときに、イメージセンサ３１を搭載して移動する光学系ユニットである。キャリッジ３０には、イメージセンサ３１、イメージセンサ基板３２及びキャリッジホームセンサ３３が配置されている。イメージセンサ３１は、搬送路４上の原稿Ａ１を光学的に読み取るラインセンサであり、イメージセンサ基板３２上に配置されている。イメージセンサ３１は、ＡＤＦ方式の原稿読取の場合に、原稿Ａ１の表面の画像を読み取り、電気信号に変換する。イメージセンサ基板３２からは、イメージセンサ３１の電気信号がそのまま出力される。イメージセンサ３１は、イメージセンサ２１と同一の構成を有するセンサであり、イメージセンサ基板３２は、イメージセンサ基板２２と同一の構成を有する基板となっている。
【００３３】
ＡＤＦ方式によりスキャンを行う場合は、キャリッジ３０は静止した状態であり、原稿Ａ１の搬送に合わせてイメージセンサ３１が原稿の表面の読み取りを行う。一方、複合機１は、原稿台に載置された原稿をフラットベッド方式のスキャンにより読み取ることもできる。キャリッジ３０は、ベルトに固定されており、このベルトはキャリッジ駆動部３４により移動させられる。キャリッジ駆動部３４はモータであり、コンタクトガラスに置かれた原稿に沿ってイメージセンサ３１を走査させ、イメージセンサ３１に原稿の表面の画像を読み取らせる。
【００３４】
キャリッジホームセンサ３３は、キャリッジ３０が初期位置に達したことを検出するフォトセンサである。キャリッジホームセンサ３３は、透過型フォトセンサであり、ＬＥＤ光源と当該光源の光を検出する受光部とを有し、検出物体により遮断される光量の変化を受光部で検出する。キャリッジ３０の初期位置にフィラー３５が配置されており、キャリッジ３０が初期位置に達すると、フィラー３５がキャリッジホームセンサ３３のＬＥＤ光源と受光部との間に入り込み、ＬＥＤ光源の光を遮断する。このとき、受光部が光量の変化を検出することにより、キャリッジ３０が初期位置に達したことを判別することができる。
【００３５】
中継基板４１は、ケーブルによりイメージセンサ基板３２と接続されている。中継基板４１には、アナログフロントエンドチップが配置されており、イメージセンサ基板３２からの電気信号を増幅し、デジタル画像情報に変換する処理を行う。また、キャリッジホームセンサ３３からの検出信号がイメージセンサ基板３２を介して入力され、この検出信号を制御基板４３へ出力する。
【００３６】
制御基板４３は、プロセッサを備える基板である。このプロセッサは、中継基板４１及び中継基板４２から入力されるデジタル画像情報を記憶装置に記憶させる等の制御を行う。また、紙通過センサ２３からの検出信号に基づいて、搬送ローラ９，１０を制御し、原稿Ａ１の搬送処理を行う。また、フラットベッド方式のスキャンを行う場合には、キャリッジホームセンサ３３からの検出信号に基づいて、キャリッジ駆動部３４を制御し、コンタクトガラスに載置された原稿に沿ってイメージセンサ３１を走査させる。
【００３７】
図２は、図１の複合機１の要部における構成例を示したブロック図であり、複合機１内の機能構成の一例が示されている。複合機１は、操作入力部５１、キャリッジホームセンサ３３、イメージセンサ基板３２、中継基板４１、イメージセンサ基板２２、中継基板４２、紙通過センサ２３、プロセッサ５７、キャリッジ駆動部３４、画像データ記憶部５８、ＦＡＸ送信部５９、ＬＡＮ通信部６０、プリンタ部６１、分離ローラ５〜７、搬送ローラ９及び搬送ローラ１０から構成される。
【００３８】
操作入力部５１は、ユーザが操作入力を行うための手段であり、操作キーやタッチパネルからなり、複合機１の各種設定を行うことができる。例えば、片面読み取りと両面読み取りとの切り替えを指定することができる。
【００３９】
キャリッジホームセンサ３３は、透過型フォトセンサであり、ＬＥＤ光源と当該光源の光を検出する受光部とを有し、検出物体により遮断される光量の変化を受光部で検出する。キャリッジ３０が初期位置に達すると、フィラー３５によりＬＥＤ光源の光が遮断され、受光部において光量の変化として検出される。このため、キャリッジ３０が初期位置に達したことを判別することができる。キャリッジ３０が初期位置にあることを検出することにより、コンタクトガラスに原稿を載置してフラットベッド方式のスキャンを行う場合に、精度よくイメージセンサ３１を移動させることができ、スキャン開始位置のずれを防止することができる。
【００４０】
イメージセンサ基板３２は、イメージセンサ３１を備える。イメージセンサ３１は、搬送路４上の原稿Ａ１を光学的に読み取るＣＣＤラインセンサであり、原稿Ａ１の表面の画像を読み取り、電気信号に変換する。
【００４１】
中継基板４１は、信号増幅部５２及び表面読取データデジタル変換部５３を備える。信号増幅部５２は、イメージセンサ３１から入力された電気信号を増幅させる処理を行う。表面読取データデジタル変換部５３は、信号増幅部５２から入力される電気信号をデジタル画像情報に変換する処理を行う。表面読取データデジタル変換部５３は、変換したデジタル画像情報をプロセッサ５７へ出力する。なお、信号増幅部５２及び表面読取データデジタル変換部５３は、図示しないアナログフロントエンドチップに内包される。
【００４２】
イメージセンサ基板２２は、イメージセンサ２１を備える。イメージセンサ２１は、原稿Ａ１の裏面の画像を読み取って電気信号に変換する。また、イメージセンサ基板２２はイメージセンサ基板３２と同一の構成であり、同じ基板を使用することができる。このため、複合機１のＡＤＦ部２の部品の種類を減少させることができる。
【００４３】
中継基板４２は、信号増幅部５４、裏面読取データデジタル変換部５５及び抵抗値調整部５６を備える。信号増幅部５４は、イメージセンサ２１から入力された電気信号を増幅させる処理を行う。裏面読取データデジタル変換部５５は、信号増幅部５４から入力される電気信号をデジタル画像情報に変換する処理を行う。裏面読取データデジタル変換部５５は、変換したデジタル画像情報をプロセッサ５７へ出力する。なお、信号増幅部５４及び表面読取データデジタル変換部５５は、図示しないもう一つのアナログフロントエンドチップに内包される。
【００４４】
抵抗値調整部５６は、電流制限抵抗であり、紙通過センサ２３のＬＥＤ光源に供給される電流量を変更し、ＬＥＤ光源の明るさを変更することによって、紙通過センサ２３の感度を調整する。透過型フォトセンサと反射型フォトセンサとの適正な電流供給量は異なるので、共通のイメージセンサ基板にそのまま接続すると、反射型フォトセンサのＬＥＤ光源の光が強すぎて原稿Ａ１を誤って検出してしまう等の不具合が生じる。このため、共通のイメージセンサ基板に接続する場合、反射型フォトセンサへ供給される電流量の調整を行う必要がある。複合機１では、中継基板４２に抵抗値調整部５６を設けることにより、イメージセンサ基板２２及び紙通過センサ２３に新たな電流制限抵抗を設けることなく、透過型フォトセンサと反射型フォトセンサとの適正電流量の違いを調整している。このため、狭い搬送路４付近に配置される反射型フォトセンサに電流制限抵抗を配置してスペースを占有することを避けつつ、紙通過センサ２３及びキャリッジホームセンサ３３に適正電流を供給することができる。同時に、イメージセンサ基板２２に電流制限抵抗が加わったためにイメージセンサ基板３２とは別基板になる等の不都合を回避し、複合機１の部品の種類を減少させることができる。
【００４５】
紙通過センサ２３は、反射型フォトセンサであり、ＬＥＤ光源の光を原稿Ａ１に反射させることにより、原稿Ａ１の有無を検出する。原稿Ａ１の位置を特定することにより、原稿Ａ１の搬送速度等を調節することができ、紙詰まり等を低減させることができる。
【００４６】
キャリッジ駆動部３４は、キャリッジ３０が固定されたベルトをモータにより移動させ、キャリッジ３０を移動させる。画像データ記憶部５８は、スキャナで読み取られたデジタル画像を記憶する記憶装置である。ＦＡＸ送信部５９は、ＰＳＴＮ回線（Public Switched Telephone Network）を介してデジタル画像をファクシミリ送受信することができる。ＬＡＮ通信部６０は、ＬＡＮ（Local Area Network）に接続された端末装置にデジタル画像を送受信することができる。プリンタ部６１は、周知の印刷装置であり、デジタル画像を印刷用紙に印刷することができる。分離ローラ５〜７は、原稿搬送台８内の原稿Ａ１を１枚ずつ分離して搬送路４へ繰り込む分離装置である。搬送ローラ９，１０は、搬送路４内の原稿Ａ１を送り方向に搬送する搬送手段である。
【００４７】
プロセッサ５７は、制御基板４３に配置された演算処理装置である。プロセッサ５７は、操作入力部５１から入力される操作信号に基づいて、片面の読み取りと両面の読み取りを切り替える制御を行う。
【００４８】
また、プロセッサ５７は、キャリッジ駆動部３４を制御し、コンタクトガラスに載置された原稿について、フラットベッド方式のスキャンを行う。フラットベッド方式のスキャンを行う際に、キャリッジホームセンサ３３からの検出信号に基づいて、キャリッジ３０の初期位置を認識する。また、例えば、キャリッジ駆動部３４のモータの回転数に基づいてキャリッジ３０の位置制御を行う。
【００４９】
更に、プロセッサ５７は、表面読取データデジタル変換部５３又は裏面読取データデジタル変換部５５からデジタル画像情報が入力され、このデジタル画像を画像データ記憶部５８に記憶させる。また、このデジタル画像をＦＡＸ送信部５９からＰＳＴＮ回線を介してファクシミリ送信させる処理や、ＬＡＮ通信部６０によりＬＡＮを介して接続する端末装置にこのデジタル画像を送信させる処理、並びに、プリンタ部６１を制御してこのデジタル画像を印刷させる処理を行う。
【００５０】
また、プロセッサ５７は、搬送ローラ９，１０を制御し、各原稿Ａ１の間隔を調整しつつ原稿Ａ１の搬送及びスキャンを行わせる処理を行う。プロセッサ５７は、原稿Ａ１の搬送制御において、紙通過センサ２３からの検出信号に基づいて、原稿Ａ１が基準位置Ｐを通過したことを判別し、搬送速度の調整を行う。また、分離ローラ５〜７を制御し、所定の間隔をおいて搬送路４へ原稿Ａ１を繰り込ませる処理を行い、紙通過センサ２３からの検出信号に基づいて、紙詰まりの防止のために原稿Ａ１の繰込み頻度を調整する。
【００５１】
図３は、図１の複合機１に配置された各フォトセンサの構成を示した模式図である。図３（ａ）にキャリッジホームセンサ３３がフィラー３５を検出する様子を示し、図３（ｂ）に紙通過センサ２３が原稿Ａ１を検出する様子を示している。図３（ａ）に示すように、キャリッジホームセンサ３３は、ＬＥＤ光源９０及び受光部９１から構成される。フィラー３５がない場合、ＬＥＤ光源９０から出力される光は受光部９１に入力されている。フィラー３５によりＬＥＤ光源９０からの光が遮断されると、受光部９１が、入力される光量の変化からフィラー３５を検出する。フィラー３５は、キャリッジ３０の初期位置に配置されている。キャリッジホームセンサ３３は、キャリッジ３０とともに移動し、キャリッジ３０が初期位置に達すると、フィラー３５がキャリッジホームセンサ３３のＬＥＤ光源９０と受光部９１との間に入り込むようになっている。このため、キャリッジホームセンサ３３は、キャリッジ３０が初期位置に達したことを検出することができる。
【００５２】
図３（ｂ）に示すように、紙通過センサ２３は、ＬＥＤ光源９２及び受光部９３から構成される。紙通過センサ２３は、ＬＥＤ光源９２から照射される光が原稿Ａ１により反射され、この光を受光部９３で検出することにより原稿Ａ１を検出している。
【００５３】
本実施の形態による複合機１は、イメージセンサ基板２２にイメージセンサ２１及び紙通過センサ２３を接続し、イメージセンサ基板３２にイメージセンサ３１及びキャリッジホームセンサ３３を接続する際に、紙通過センサ２３の感度調整に必要な電流制限抵抗を中継基板４２に配置している。このような構成により、イメージセンサ基板２２に電流制限抵抗を配置することによって生じる部品の増加、あるいは、紙通過センサ２３に電流制限抵抗を配置することにより、搬送路４付近の狭い空間において紙通過センサ２３がスペースを占有すること等を防止することができる。従って、複合機１の部品の種類数を減少させつつ、状況に応じたフォトセンサを配置することができる。
【００５４】
実施の形態２．
実施の形態１では、キャリッジ３０が初期位置に達したことを検出するために透過型フォトセンサを用いる画像読取装置の例について説明した。これに対し、実施の形態２では、原稿搬送台８に原稿が載置されていることを検出するために透過型フォトセンサが用いられる例について説明する。
【００５５】
図４は、本発明の実施の形態２による画像読取装置の一構成例を示した図であり、画像読取装置の一例として複合機１１が示されている。図１の複合機１と比較すれば、フラットベッド部３を有しない点で異なる。同一の構成については同一の符号を付し、説明を省略する。
【００５６】
複合機１１は、分離ローラ５〜７、原稿搬送台８、搬送ローラ９、搬送ローラ１０、イメージセンサ２１、イメージセンサ基板２２、イメージセンサ３１、イメージセンサ基板３２、制御基板４３、紙通過センサ７１、紙配置センサ７２及びフィラー７３から構成される。図１の複合機１と同様に、原稿Ａ１は原稿搬送台８に載置され、分離ローラ５〜７により１枚ずつ搬送路４へ繰り込まれる。
【００５７】
フィラー７３は、原稿搬送台８の上下に突き出た形状からなる回転可能な部材であり、原稿搬送台８に原稿Ａ１が載置されると、フィラー７３は回転し、フィラー７３の原稿搬送台８下部に突出している爪部分が、紙配置センサ７２のＬＥＤ光源と受光部との間に入り込む構造になっている。紙配置センサ７２は、透過型フォトセンサであり、フィラー７３の爪部分がＬＥＤ光源と受光部との間に入り込むと、ＬＥＤ光源の光が遮断されて、受光部において光量の変化が検出される。このため、紙配置センサ７２は、原稿搬送台８に原稿Ａ１が載置されていることを検出することができる。フィラー７３は高速で移動することはなく、チャタリングを吸収する時間が確保できることから、紙配置センサ７２には経年劣化に強い透過型フォトセンサを採用している。
【００５８】
紙配置センサ７２は、イメージセンサ基板２２の近傍に位置することからケーブルをイメージセンサ基板２２に接続している。イメージセンサ２１及び紙配置センサ７２のケーブルをイメージセンサ基板２２から一括して制御基板４３に接続することにより、ケーブルがスペースを占有することを防止することができる。
【００５９】
紙通過センサ７１は、搬送中の原稿Ａ１が基準位置Ｑを通過したことを検出するフォトセンサである。基準位置Ｑは、搬送路４上の原稿Ａ１の表面の読み取り位置の直前にある。紙通過センサ７１は、反射型フォトセンサであり、ＬＥＤ光源の光を原稿Ａ１に反射させることにより、原稿Ａ１の有無を検出する。原稿Ａ１の搬送路４付近は狭く、コンパクトな反射型フォトセンサが適している。また、原稿Ａ１は高速で連続して搬送されることからチャタリングを吸収する時間的余裕がない。このため、チャタリングの発生しない反射型フォトセンサを配置している。
【００６０】
紙通過センサ７１は、ケーブルによりイメージセンサ基板３２に接続しており、検出信号をイメージセンサ基板３２へ出力する。紙通過センサ７１の近傍に位置するイメージセンサ基板３２にケーブルを接続し、イメージセンサ３１のケーブルと一括して制御基板４３に接続するため、スペースを確保することができる。イメージセンサ基板３２は、紙通過センサ７１から入力された検出信号をそのまま制御基板４３へ出力する。
【００６１】
制御基板４３は、プロセッサと、紙通過センサ７１のＬＥＤ光源への電流の供給量を減少させる電流制限抵抗とが配置された基板である。プロセッサは、紙配置センサ７２からの検出信号に基づいて、分離ローラ５〜７により原稿Ａ１を搬送路４へ繰り込む制御を行う。更に、紙通過センサ７１からの検出信号に基づいて、搬送ローラ９，１０により原稿Ａ１を搬送する制御を行う。
【００６２】
また、制御基板４３上の電流制限抵抗は、紙通過センサ７１のＬＥＤ光源に供給される電流量を減少させ、紙通過センサ７１の感度を調整している。紙通過センサ７１及び紙配置センサ７２は、反射型フォトセンサと透過型フォトセンサとの構成の違いから、紙通過センサ７１のＬＥＤ光源への配線に電流制限抵抗を付加する必要がある。しかしながら、紙通過センサ７１に直接、電流制限抵抗を付加することは、狭い搬送路４付近においてスペースを占有することから望ましくない。また、イメージセンサ基板２２及び３２は同一の構成となっており、イメージセンサ基板３２に紙通過センサ７１に用いる電流制限抵抗が加わると、イメージセンサ基板２２及び３２が別構成となり、複合機１の部品の種類が増加するという難点がある。このため、電流制限抵抗を制御基板４３上に付加することで上記の問題を回避しつつ、反射型フォトセンサと透過型フォトセンサの適正電流量の違いを調整している。
【００６３】
図５は、図４の複合機１１の要部における構成例を示したブロック図であり、複合機１１内の機能構成の一例が示されている。図２と比較すると、複合機１１は、フラットベッド部３を備えないため、キャリッジホームセンサ３３及びキャリッジ駆動部３４を有さない。また、複合機１は、中継基板４１及び中継基板４２を有さないため、表面読取データデジタル変換部５３及び裏面読取データデジタル変換部５５が、それぞれイメージセンサ基板３２及び２２に配置されており、抵抗値調整部５６が制御基板４３に配置されている。以下、図２と同一の構成については、説明を省略し、紙配置センサ７２、抵抗値調整部５６、紙通過センサ７１及びプロセッサ５７について説明する。紙配置センサ７２は、原稿搬送台８に原稿Ａ１が載置されたことを検出し、プロセッサ５７へ検出信号を出力する。
【００６４】
抵抗値調整部５６は、電流制限抵抗であり、紙通過センサ７１のＬＥＤ光源に供給する電流量を減少させ、ＬＥＤ光源の明るさを下げることによって、紙通過センサ７１の感度を調整する。透過型フォトセンサと反射型フォトセンサとの適正電流は異なるので、共通のイメージセンサ基板に接続する場合、反射型フォトセンサへ供給される電流量の調整を行う必要がある。このため、制御基板４３上に電流制限抵抗を付加して、反射型フォトセンサのＬＥＤ光源へ供給される電流量を減少させている。実施の形態１では、中継基板４２に電流制限抵抗を配置していたが、制御基板４３に電流制限抵抗を配置することで同様の効果を得ることができる。
【００６５】
紙通過センサ７１は、反射型フォトセンサであり、ＬＥＤ光源の光を搬送中の原稿Ａ１に反射させることにより、原稿Ａ１の有無を検出する。プロセッサ５７は、制御基板４３上に配置された演算処理装置である。プロセッサ５７は、搬送ローラ９，１０を制御し、各原稿Ａ１の間隔を調整しつつ、原稿Ａ１の搬送及びスキャンを行わせる処理を行う。プロセッサ５７は、原稿Ａ１の搬送制御において、紙通過センサ７１からの検出信号に基づいて、原稿Ａ１が基準位置Ｑを通過したことを識別し、搬送速度の調整を行う。また、分離ローラ５〜７を制御し、所定の間隔をおいて搬送路４に原稿Ａ１を繰り込む処理を行い、紙通過センサ７１からの検出信号に基づいて、紙詰まりを低減させるために原稿Ａ１の繰込み頻度を調整する。
【００６６】
また、プロセッサ５７は、原稿Ａ１が全て取り込まれ、原稿搬送台８に残っていないことを紙配置センサ７２により検出されたときに、分離ローラ５〜７を停止させる。更に、最後の原稿Ａ１を排紙トレイに排出した後、搬送ローラ９，１０を停止させる制御を行う。
【００６７】
本実施の形態２では、上記のように原稿搬送台８に置かれた原稿Ａ１の有無を検出するために透過型フォトセンサを用いている。透過型フォトセンサに加えて、別の場所で反射型フォトセンサが使用され、２つのフォトセンサに接続された基板を共通化したい場合には、反射型フォトセンサの感度調整に用いる電流制限抵抗をどの場所に付加するかという問題が生じることになる。本実施の形態２では、紙通過センサ７１の感度調整に必要な電流制限抵抗を制御基板４３に配置することで、イメージセンサ基板３２に電流制限抵抗を配置することによって生じる部品点数の増加を防止することができる。従って、複合機１の部品の種類を増加させることなく、状況に応じたフォトセンサを配置することができる。
【００６８】
なお、本実施の形態１において、電流制限抵抗を中継基板４２上に配置することについて説明した。また、本実施の形態２において、電流制限抵抗を制御基板４３上に配置することについて説明した。しかしながら、本発明はこれに限定されない。例えば、電流制限抵抗はイメージセンサ基板２２よりも制御基板４３寄りのケーブル上に配置してもよい。
【００６９】
なお、本実施の形態１及び２において、２つのＣＣＤイメージセンサを備える複合機１について説明したが、本発明はこれに限定されない。例えば、２つのＣＭＯＳイメージセンサを備える場合であってもよく、イメージセンサが３つ以上であってもよい。
【００７０】
なお、本実施の形態１及び２において、電流制限抵抗により紙通過センサ２３及び７１の光源に供給される電流を減少させ、紙通過センサ２３及び７１の感度調整を行うことについて説明したが、本発明はこれに限定されない。例えば、電流制限抵抗により紙通過センサ２３及び７１の受光部に供給する電流を調整すること等により感度調整を行ってもよい。
【符号の説明】
【００７１】
１    複合機
２    ＡＤＦ部
３    フラットベッド部
４    搬送路
５〜７    分離ローラ
８    原稿搬送台
９，１０    搬送ローラ
１１    複合機
２１    イメージセンサ
２２    イメージセンサ基板
２３    紙通過センサ
３０    キャリッジ
３１    イメージセンサ
３２    イメージセンサ基板
３３    キャリッジホームセンサ
３４    キャリッジ駆動部
３５    フィラー
４１    中継基板
４２    中継基板
４３    制御基板
５６    抵抗値調整部
５７    プロセッサ
７１    紙通過センサ
７２    紙配置センサ
７３    フィラー
８４    抵抗値調整部
９０    光源
９１    受光部
９２    光源
９３    受光部
Ａ１    原稿
Ｐ    基準位置
Ｑ    基準位置
【図１】
2010273102.tif 000003
【図２】
2010273102.tif 000004
【図３】
2010273102.tif 000005
【図４】
2010273102.tif 000006
【図５】
2010273102.tif 000007